(57)【要約】      （修正有）【課題】部品点数も減らして組み立て工程も容易とした折り畳み可能な脚部とする。【解決手段】一対の脚部２，２によってテーブル板受具３を介してテーブル板４を支持すると共に、前記テーブル板受具３に設けた傾斜長穴に移動可能に挿通した支軸１２，１２を中心としてそれぞれ折り畳み可能に構成とする。前記支軸１２，１２には、昇降同期手段１０を構成する上部プーリ１３，１３を配置する。さらに前記支軸１２，１２に、前記テーブル板４の両側テーブル板受具３に設けた双方の解除操作手段５により、昇降補助手段９を解除操作可能とするための伝達手段である線状部材１４を掛け渡してなるガイドプーリを配置する。【選択図】              図２
2004154187.tif 000002
【特許請求の範囲】
【請求項１】
第１の脚杆に対して第２の脚杆を昇降ガイドユニットを介して進退可能に構成し、前記昇降ガイドユニットは前記第２脚杆側に設けた前記第２脚杆の昇降ガイド部と、前記第１脚杆側に固定して前記昇降ガイド部に沿って昇降移動する昇降部とによって構成したことを特徴とする伸縮脚。
【請求項２】
前記第１脚杆と第２脚杆間に、第２脚杆を第１脚杆に対して一定の位置関係を保持するためのスペーサ手段を配設したことを特徴とする請求項１記載の伸縮脚。
【請求項３】
前記昇降ガイドユニットにおける昇降ガイド部は、前記第２脚杆の昇降範囲を決める長さを有し、多数の転動体を保持した外組子によって構成し、前記昇降部は、前記外組子に、前記多数の転動体を介して移動自在に組み付けた内組子とによって構成したことを特徴とする請求項１記載の伸縮脚。
【請求項４】
前記外組子は、前記第２脚杆内に長手方向に沿って配設したことを特徴とする請求項３記載の伸縮脚。
【請求項５】
第１の脚杆に対して第２の脚杆を昇降ガイドユニットを介して進退可能に構成して、これら第１脚杆と第２脚杆とによりテーブル板を昇降可能に支持してなり、前記昇降ガイドユニットは前記第２脚杆側に設けた前記第２脚杆の昇降ガイド部と、前記第１脚杆側に固定して前記昇降ガイド部に沿って昇降移動する昇降部とによって構成したことを特徴とする伸縮脚を有するテーブル装置。
【請求項６】
前記第１脚杆と第２脚杆間に、第２脚杆を第１脚杆に対して一定の位置関係を保持するためのスペーサ手段を配設したことを特徴とする請求項５記載の伸縮脚を有するテーブル装置。
【請求項７】
前記昇降ガイドユニットにおける昇降ガイド部は、前記第２脚杆の昇降範囲を決める長さを有し、多数の転動体を保持した外組子によって構成し、前記昇降部は、前記外組子に、前記多数の転動体を介して移動自在に組み付けた内組子とによって構成したことを特徴とする請求項５記載の伸縮脚を有するテーブル装置。
【請求項８】
前記外組子は、前記第２脚杆内に長手方向に沿って配設したことを特徴とする請求項７記載の伸縮脚を有するテーブル装置。
【発明の詳細な説明】
【０００１】
【発明の属する技術分野】
本発明は、テーブル装置に関し、特に、伸縮脚自体の面倒な機械的加工を不要とし、昇降動作を自在に行なうことのできるガイドユニットを組み込めるようにした、伸縮脚およびその伸縮脚を有するテーブル装置に関するものである。
【０００２】
【従来の技術】
従来より、病院においても家庭内においても、ベッドのボトム上方に跨ぐようにもたらして使う、オーバーベッドテーブルがある。
かかるオーバーベッドテーブルとしては、特開平７−２６５１３４号公報で開示されるものがある。このオーバーベッドテーブルにおける脚部は、特開平７−２７９９７１号公報で示されるボールリテーナ組立体を組み込んだ昇降ガイドを用いている。
【０００３】
【発明が解決しようとする課題】
従って、上記脚部の構造では、ボールリテーナ組立体を組み込むために、脚部を構成する第１脚杆、第２脚杆に煩雑な機械的加工を施す必要がある。
本発明は、かかる不都合を改善するために提案されたものであって、ベッドのボトム上方に跨ぐようにもたらして使う、テーブル装置に関し、特に、伸縮脚自体の面倒な機械的加工を不要とし、昇降動作を自在に行なうことのできるガイドユニットを組み込めるようにした、伸縮脚およびその伸縮脚を有するテーブル装置を提供することを目的とする。
【０００４】
【課題を解決するための手段】
前記した課題を解決するために、本発明では、請求項１において、第１の脚杆に対して第２の脚杆を昇降ガイドユニットを介して進退可能に構成し、前記昇降ガイドユニットは前記第２脚杆側に設けた前記第２脚杆の昇降ガイド部と、前記第１脚杆側に固定して前記昇降ガイド部に沿って昇降移動する昇降部とによって構成した伸縮脚を提案する。
また本発明では、請求項２において、前記第１脚杆と第２脚杆間に、第２脚杆を第１脚杆に対して一定の位置関係を保持するためのスペーサ手段を配設した伸縮脚を提案する。
また本発明では、請求項３において、前記昇降ガイドユニットにおける昇降ガイド部は、前記第２脚杆の昇降範囲を決める長さを有し、多数の転動体を保持した外組子によって構成し、前記昇降部は、前記外組子に、前記多数の転動体を介して移動自在に組み付けた内組子とによって構成した伸縮脚を提案する。
また本発明では、請求項４において、前記外組子は、前記第２脚杆内に長手方向に沿って配設した伸縮脚を提案する。
また本発明では、請求項５において、第１の脚杆に対して第２の脚杆を昇降ガイドユニットを介して進退可能に構成して、これら第１脚杆と第２脚杆とによりテーブル板を昇降可能に支持してなり、前記昇降ガイドユニットは前記第２脚杆側に設けた前記第２脚杆の昇降ガイド部と、前記第１脚杆側に固定して前記昇降ガイド部に沿って昇降移動する昇降部とによって構成した伸縮脚を有するテーブル装置を提案する。
また本発明では、請求項６において、前記第１脚杆と第２脚杆間に、第２脚杆を第１脚杆に対して一定の位置関係を保持するためのスペーサ手段を配設した伸縮脚を有するテーブル装置を提案する。
また本発明では、請求項７において、前記昇降ガイドユニットにおける昇降ガイド部は、前記第２脚杆の昇降範囲を決める長さを有し、多数の転動体を保持した外組子によって構成し、前記昇降部は、前記外組子に、前記多数の転動体を介して移動自在に組み付けた内組子とによって構成した伸縮脚を有するテーブル装置を提案する。
さらに本発明では、請求項８において、前記外組子は、前記第２脚杆内に長手方向に沿って配設した伸縮脚を有するテーブル装置を提案する。
【０００５】
請求項１によれば、昇降ガイドユニットは第２脚杆側に昇降ガイド部を、第１脚杆側に昇降部を取り付け、この昇降部を前記昇降ガイド部に組み込むことで第２脚杆を第１脚杆に対して昇降可能に構成することができ、前記第１脚杆および第２脚杆自体に、昇降ガイドユニットを取り付けるための予備加工としての機械加工、プレス加工等は不要である。
【０００６】
請求項２によれば、第１脚杆に対して第２脚杆を伸縮させる際、昇降ガイドユニットとスペーサ手段によってがたつくことなく円滑に伸縮させることができる。
【０００７】
請求項３によれば、第２脚杆側に外組子を、第１脚杆側に、前記外組子における多数の転動体を介して移動自在な内組子とを組み付けるだけで第２脚杆を第１脚杆に対して昇降可能に構成することができ、第１脚杆および第２脚杆自体に、昇降ガイドユニットを取り付けるための予備加工としての機械加工、プレス加工等は不要である。
【０００８】
請求項４によれば、外組子を第２脚杆内に組み込むことにより、昇降ガイドユニットが露出することはない。
【０００９】
請求項５によれば、昇降ガイドユニットは第２脚杆側に昇降ガイド部を、第１脚杆側に昇降部を取り付け、この昇降部を前記昇降ガイド部に組み込むことで第２脚杆を第１脚杆に対して進退させてテーブル板を昇降可能に支持することができ、前記第１脚杆および第２脚杆自体に、昇降ガイドユニットを取り付けるための予備加工としての機械加工、プレス加工等は不要である。
【００１０】
請求項６によれば、第１脚杆に対して第２脚杆を伸縮させる際、昇降ガイドユニットとスペーサ手段によってがたつくことなく円滑にテーブル板を昇降させることができる。
【００１１】
請求項７によれば、第２脚杆側に外組子を、第１脚杆側に、前記外組子における多数の転動体を介して移動自在な内組子とを組み付けるだけで第２脚杆を第１脚杆に対して伸縮させてテーブル板を昇降可能に構成することができ、第１脚杆および第２脚杆自体に、昇降ガイドユニットを取り付けるための予備加工としての機械加工、プレス加工等は不要である。
【００１２】
請求項８によれば、外組子を第２脚杆内に組み込むことにより、昇降ガイドユニットが露出することはない。
【００１３】
【発明の実施の形態】
以下、本発明にかかる伸縮脚およびその伸縮脚を有するテーブル装置につき、ベッド上のマットレス上にもたらして使用するオーバーベッドテーブルの一つの実施の形態を示し、添付の図面に基づいて説明する。
図１にオーバーベッドテーブル１を示す。このオーバーベッドテーブル１は、一対の伸縮脚２，２によってテーブル板受具３を介してテーブル板４を支持する構成としている。
前記一対の伸縮脚２，２は、同期的に昇降させる昇降同期手段（後述）を具備すると共に、後述する昇降補助手段（例えばガススプリング）をいずれか一方の伸縮脚２に備え、前記テーブル板４の両端寄りのテーブル板受具３に、前記昇降補助手段を拘束解除操作するための解除操作手段５をそれぞれ配置するようにしている。
【００１４】
前記一対の伸縮脚２，２は、第１脚杆６に対して第２脚杆７を昇降ガイドユニット（後述）を介して進退可能に構成し、前記第１脚杆６，６基端部には、キャスタＣを介して床面に接地させる基部フレーム８，８を装着している。
これら伸縮脚２，２のうちの一方の伸縮脚２における第１脚杆６内に昇降補助手段であるガススプリング９が内蔵され、前記解除操作手段５によってガススプリング９を拘束解除したり拘束状態とすることで、第２脚杆７を昇降させてテーブル板４を所望の高さに調節保持するようにしている（図２参照）。
また、前記一対の伸縮脚２，２には、周知の昇降同期手段１０を配置している。すなわち、昇降同期手段１０は、前記第２脚杆７下端側内面に軸着した下部プーリ１１，１１と、脚部２，２の折り畳み中心軸としての支軸１２，１２に設けた上部プーリ１３，１３と、これら上部プーリ１３，１３および下部プーリ１１，１１間に掛け渡した線状部材１４とを備え、この線状部材１４を前記第１脚杆６側に固定した構成としている。
【００１５】
前記第１脚杆６は、方形状パイプであり、前記第２脚杆７は、前記第１脚杆６を所定の間隔をもって第２脚杆７内に突没可能な寸法の方形状パイプで構成している（図３参照）。またこれら第１脚杆６と第２脚杆７間には、第２脚杆７を第１脚杆６に対して一定の位置関係を保持するためのスペーサ手段１５を配設している。
そしてかかる第１脚杆６と第２脚杆７との間には、第１脚杆６に対して第２脚杆７を昇降自在に構成するための昇降ガイドユニット１６を介在させている。
【００１６】
そこで前記昇降ガイドユニット１６について、図３、図４、図５、図６に基づいて詳細に説明する。
すなわち昇降ガイドユニット１６は、前記第１脚杆６と第２脚杆７との対向面に筒軸方向に配置した昇降ガイド部１７と、この昇降ガイド部１７に多数の転動体１８を介して移動自在な昇降部１９とによって構成している。
【００１７】
前記昇降ガイド部１７は前記第２脚杆７の昇降範囲を決める長さを有し、多数の転動体１８を保持した外組子であり、双方の長手側縁１７ｅ，１７ｅを断面半円弧状に加工して前記多数の転動体１８を保持したリテーナ２０を添設している。
かかる昇降ガイド部１７は、前記第１脚杆６内の第２脚杆７に対向する面に沿って適宜な固定手段（例えばねじ止め、溶接等）で取り付けている。この場合、昇降ガイド部１７の長さ寸法は、前記第２脚杆７の昇降範囲（ストローク）を決定付けるものであり、第１脚杆６の寸法に比較して若干短いものとし、第１脚杆６上端側に合わせて、前記昇降ガイド部１７の上端側を位置させている。
【００１８】
一方、前記昇降部１９は、前記昇降ガイド部１７に、前記多数の転動体１８を介して移動自在に組み付けた内組子であり、前記昇降ガイド部１７における長手側縁１７ｅ，１７ｅ間に添設されたリテーナ２０により保持された転動体１８に、昇降ガイド部１７幅方向に当接するとともに昇降ガイド部１７に沿って移動可能に係合するようにしたもので、前記転動体１８に対し、昇降ガイド部１７幅方向から当接するように、両側縁１９ｅ，１９ｅを起曲して、これら両側縁１９ｅ，１９ｅの外側面を、前記転動体１８の案内転動面とするべく、断面円弧状凹面に形成している。
かかる昇降部１９は、第１脚杆６内面の第１脚杆６と対向する第２脚杆７側にマウント板２１を例えばねじ止めによって装着している。
【００１９】
そして、前記第２脚杆７を第１脚杆６に対して一定の位置関係を保持するためのスペーサ手段１５は、キャップ状のもので、前記第２脚杆７の下端側に嵌着させており、前記第２脚杆７は、前記スペーサ手段１５を介し、抵抗なく進退挿通している。
【００２０】
以上のようなオーバーベッドテーブル１における一対の伸縮脚２，２によれば、伸縮脚２を構成する第１脚杆６に、第２脚杆７を進退自在に連結するために、昇降ガイドユニット１６を前記第１脚杆６内において第１脚杆６と第２脚杆７とが対向する平坦面間に配設しておく。
かかる昇降ガイドユニット１６を組み付けるにあたり、昇降ガイド部１７は、前記第２脚杆７内の第１脚杆６に対向する面に沿って、多数の転動体１８を保持したリテーナ２０を第１脚杆６側に向け、第２脚杆７上端側に合わせて、前記昇降ガイド部１７の上端側を位置させ、適宜な固定手段（例えばねじ止め、溶接等）で固定する。
【００２１】
一方、昇降部１９は、第２脚杆７内面に装着した昇降ガイド部１７と対向するように、マウント板２１を第１脚杆６側にねじ止めすることで固定することができる。
そして、第１脚杆６を、第２脚杆７下端側から差し入れ、第２脚杆７内の昇降ガイド部１７における長手側縁１７ｅ，１７ｅ間に添設されたリテーナ２０により保持された転動体１８に、昇降ガイド部１７幅方向に当接するとともに昇降ガイド部１７に沿って移動可能に第１脚杆６側の昇降部１９が係合するように嵌入していき、更に、スペーサ手段１５を第２脚杆７下端側から装入し、前記第２脚杆７下端側に止め付けるようにして組み立てを終了することができる。
【００２２】
以上のようにして組み付けた昇降ガイドユニット１６により、第１脚杆６に対し、第２脚杆７を進退自在に保持することができ、これまでのようなベアリングを用いる際の、第１脚杆６および第２脚杆７に対する面倒な加工は不要であり、工程を簡単化することができる。
しかも、第１脚杆６に対して、第２脚杆７が突出入しても、第２脚杆７側の昇降部１９は、第２脚杆７上端寄りに取り付けられ、昇降ガイド部１７にしても、かかる昇降部１９にしても露出することはない。
【００２３】
以上、本発明について、オーバーベッドテーブル１における一対の伸縮脚２，２を示し、説明したが、昇降ガイドユニット１６は、二組設けることも可能である。
【００２４】
二組の昇降ガイドユニット１６を介し、第１脚杆６に対し、第２脚杆７を進退自在に保持する構成とすれば、第１脚杆６に対し、第２脚杆７を一層、円滑に昇降自在に保持することができ、しかも、強度も増す。
【００２５】
【発明の効果】
本発明によれば、
（１）第１脚杆および第２脚杆自体に、昇降ガイドユニットを取り付けるための予備加工としての機械加工、プレス加工等は不要である。
（２）第１脚杆に対して第２脚杆を伸縮させる際、昇降ガイドユニットとスペーサ手段によってがたつくことなく円滑に伸縮させることができる。
（３）昇降ガイド部を第２脚杆内に組み込むことにより、昇降ガイドユニットが露出することはなく外観上もよい。
【００２６】
【図面の簡単な説明】
【図１】本発明にかかる伸縮脚を採用したテーブル装置の、一つの実施形態を示す、外観斜視図である。
【図２】図１に示すテーブル装置の側面説明図である。
【図３】図１に示すテーブル装置における伸縮脚の断面説明図である。
【図４】図３に示す伸縮脚の横断面説明図である。
【図５】図３に示す伸縮脚の昇降ガイドユニットの断面説明図である。
【図６】昇降ガイドユニットの平面図である。
【図７】図３に示す伸縮脚を伸長させた状態を示す、断面説明図である。
【符号の説明】
１                          オーバーベッドテーブル
２                          伸縮脚
３                          テーブル板受具
４                          テーブル板
５                          解除操作手段
６                          第１脚杆
７                          第２脚杆
８                          基部フレーム
９                          ガススプリング
１０                        昇降同期手段
１１                        下部プーリ
１２                        支軸
１３                        上部プーリ
１４                        線状部材
１５                        スペーサ手段
１６                        昇降ガイドユニット
１７                        昇降ガイド部
１７ｅ                      長手側縁
１８                        転動体
１９                        昇降部
１９ｅ                      側縁
２０                        リテーナ
２１                        マウント板
Ｃ                          キャスタ
【図１】
2004154187.tif 000003
【図２】
2004154187.tif 000004
【図３】
2004154187.tif 000005
【図４】
2004154187.tif 000006
【図５】
2004154187.tif 000007
【図６】
2004154187.tif 000008
【図７】
2004154187.tif 000009